(57)【特許請求の範囲】
【請求項１】
収納キャビネットと、この収納キャビネットに設けた収納ラックと、前記収納ラックを円弧状に変位させつつ昇降させるアームを有する昇降支持装置と、前記収納キャビネットの前方に設けられ、少なくとも左右いずれか一方へ開閉する扉体と、前記収納ラックの降下に伴う円弧状変位に連動して、前記扉体を開放する開放手段と、扉体の開放維持手段とを具備し、前記開放手段は、収納ラックの前端側で、かつ扉体の内側面と接離自在に配置して、この収納ラックの降下に伴う円弧状変位により扉体を押し開くように構成され、一方、開放維持手段は収納ラックの後端側に配置されていて、この収納ラック降下状態で、開放状態の扉体の内側に対応して位置するように構成した昇降式収納装置。
【請求項２】
アームは、略Ｓの字形アームと、略くの字形アームにより構成した請求項１記載の昇降式収納装置。
【請求項３】
開放手段をローラ部材で構成した請求項１記載の昇降式収納装置。
【請求項４】
開放維持手段を変位自在に構成し、収納ラックが収納キャビネットに収められているときは、収納キャビネットの内壁と当接して変位し、収納ラックが収納キャビネットより降下されたときには、直立して扉体の開放を維持するようにした請求項１記載の昇降式収納装置。
【発明の詳細な説明】
【０００１】
【発明の属する技術分野】
本発明は、厨房等で使用する昇降式収納装置に関し、特に収納ラックの昇降動作に連動する扉体に関するものである。
【０００２】
【従来の技術】
従来この種の昇降式収納装置は、図４、図５に示されているようなものがあり、この昇降式収納装置は、収納キャビネット１の前方に扉体２と、内部に収納ラック３を昇降する一対の平行アーム４を有する昇降支持装置５を配し、収納ラック３の前方下部に設けた昇降操作用のハンドル６を持って、収納ラック３を円弧状に昇降するようになっていた。なお、７は平行アーム４が同期して回動するように両平行アーム４の基部間を連結する連動連結軸、８は扉体２を開閉操作する取手である。
【０００３】
【発明が解決しようとする課題】
しかしながら、上記従来の昇降式収納装置では、扉体２の開閉動作と収納ラック３の昇降動作とが別動作となり、収納ラック３内の収納品の出し入れ作業時には常に、両手で扉体２を開ける（閉める）、収納ラック３を下げる（上げる）、以上の４動作が必要という課題を有していた。
【０００４】
また、収納ラック３を昇降する昇降支持装置５が平行アーム４なので、平行アーム４の回動角度そのもので、収納ラック３の昇降ストロークが決まることになり、降下ストロークが小さく収納ラック３への出し入れ作業がやりにくいという課題を有していた。
【０００５】
さらに、収納ラック３は、回動昇降時に連動連結軸７との干渉を避けるために、収納ラック３の後方下部にコーナー逃がし部９が必要となり、平面的な収納面積が減少するという課題を有していた。
【０００６】
【課題を解決するための手段】
本発明は上記課題を解決するために、収納キャビネットと、この収納キャビネットに設けた収納ラックと、前記収納ラックを円弧状に変位させつつ昇降させるアームを有する昇降支持装置と、前記収納キャビネットの前方に設けられ、少なくとも左右いずれか一方へ開閉する扉体と、前記収納ラックの降下に伴う円弧状変位に連動して、前記扉体を開放する開放手段と、扉体の開放維持手段とを具備し、前記開放手段は、収納ラックの前端側で、かつ扉体の内側面と接離自在に配置して、この収納ラックの降下に伴う円弧状変位により扉体を押し開くように構成され、一方、開放維持手段は収納ラックの後端側に配置されていて、この収納ラック降下状態で、開放状態の扉体の内側に対応して位置するように構成したものである。
【０００７】
上記発明によれば、収納ラックの降下動作に連動して、扉体を開放するため、収納ラックの降下作業を１回の動作で行うことができる。
【０００８】
【発明の実施の形態】
本発明の昇降式収納装置は、収納キャビネットと、この収納キャビネットに設けた収納ラックと、前記収納ラックを円弧状に変位させつつ昇降させるアームを有する昇降支持装置と、前記収納キャビネットの前方に設けられ、少なくとも左右いずれか一方へ開閉する扉体と、前記収納ラックの降下に伴う円弧状変位に連動して、前記扉体を開放する開放手段と、扉体の開放維持手段とを具備し、前記開放手段は、収納ラックの前端側で、かつ扉体の内側面と接離自在に配置して、この収納ラックの降下に伴う円弧状変位により扉体を押し開くように構成され、一方、開放維持手段は収納ラックの後端側に配置されていて、この収納ラック降下状態で、開放状態の扉体の内側に対応して位置するように構成したもので、収納ラックの降下動作に連動して扉体の開放が行われる。
【０００９】
前記アームを略Ｓの字形アームと、略くの字形アームにより構成すれば、収納ラックの降下時に両アームが収納キャビネットの底板に干渉することも、両アーム同士が干渉することもなく、その結果、両アームの回動角度が大きくとれ、収納ラックの昇降ストロークを大きくすることができる。
【００１０】
開放手段は扉体の開放動作を円滑とするためにローラ部材とするのが望ましく、さらに開放維持手段を変位自在に構成し、収納ラックが収納キャビネットに収められているときは、収納キャビネットの内壁と当接して変位し、収納ラックが収納キャビネットより降下されたときには、直立して扉体の開放を維持する構成であってもよい。
【００１１】
【実施例】
以下、本発明の実施例について図面を用いて説明する。
【００１２】
（実施例１）
図１は本発明の実施例１の昇降式収納装置の収納ラック降下状態における側断面図、図２は同じく扉体の半開き状態における平面断面図、図３は図１の平面断面図である。
【００１３】
図１から図３において、１１は厨房等の壁面上方に設置された収納キャビネットで、この収納キャビネット１１の庫内両側面には、前方に略Ｓの字形アーム１２と、後方に略くの字形アーム１３とが、同一面上に平板形状で構成されるとともに、この両アーム１２、１３を枢支する昇降支持装置１４が設置されている。１５は対向する略Ｓの字形アーム１２の基部間を連結する連動連結軸で、この連動連結軸１５により両略Ｓの字形アーム１２が同体回動するように構成される。
【００１４】
１６は、常時は収納キャビネット１１に格納される収納ラックで、底面から背面を構成する本体１７と、両側板１８と、線材よりなる網棚１９等により構成される。
【００１５】
略Ｓの字形アーム１２および略くの字形アーム１３と、収納ラック１６とは、略中央で屈曲した略くの字形アーム１３を、収納ラック１６を構成する側板１８の最上段後方近傍に枢支することによりリンク機構が構成される。
【００１６】
２０は収納キャビネット１１の前方に設けられ左右に開放される扉体、２１は収納ラック１６を構成する両側板１８の前方上部に設けられた扉体２０の開放手段で、収納ラック１６の降下動作に連動して扉体２０を押して開放するとともに、扉体２０の開放方向に回転するローラ部材２２が構成される。
【００１７】
２３は扉体２０の開放状態を維持する開放維持手段で、収納ラック１６が収納キャビネット１１の外を回動時に、収納ラック１６の上方側に直立するように、ねじりばね２４等により付勢され、この開放維持手段２３により、図３に示す如く、扉体２０の開放角度を９０度以内に規制するように構成される。
【００１８】
また、開放維持手段２３の先端側には、前後および上下の双方向に回転するローラ部材２５、２６が構成される。
【００１９】
２７は収納キャビネット１１と扉体２０の間に設けられた付勢手段で、常時、扉体２０を閉塞側に押圧するように構成される。
【００２０】
２８は収納ラック１６の下部前方に設けられた閉塞パネルで、収納ラック１６の上昇格納時に扉体２０の下方が覆われるように構成される。２９は閉塞パネル２８に取付けられた昇降操作用のハンドル、また３０は、このハンドル２９とは別に扉体２０に埋設された把手である。
【００２１】
こうして収納ラック１６は、ハンドル２９を持って、両アーム１２、１３と昇降支持装置１４により、図１に一点鎖線で示す如く、円弧状に回動するとともに、扉体２０を開放維持し、その降下位置で収納物を出し入れした後、再度ハンドル２９を持って上昇格納かつ扉体２０の閉塞を行い、また降下操作を行うものである。
【００２２】
次に動作、作用について説明すると、昇降式収納装置は、収納キャビネットと１１、この収納キャビネット１１に設けた収納ラック１６と、収納ラック１６を昇降するアーム１２、１３を有する昇降支持装置１４と、収納キャビネット１１の前方に設けた扉体２０と、収納ラック１６の降下動作に連動して、扉体２０を開放する開放手段２１と、開放維持手段２３とからなり、収納ラックの１６降下動作に連動して、おのずと扉体２０を開放することができるため、収納ラック１６の降下作業を１回の動作で行うことができる。
【００２３】
また、アーム１２、１３を、略Ｓの字形アーム１２と、略くの字形アーム１３により構成してあり、両アーム１２、１３が屈曲しているため、収納ラック１６の降下時に両アーム１２、１３が収納キャビネット１１の底板に干渉することも
、両アーム１２、１３同士が干渉することもなく、その結果、両アーム１２、１３の回動角度が大きくとれ、収納ラック１６の昇降ストロークを大きくすることができるので、降下ストロークが大きくなり、収納ラック１６への出し入れの作業性を向上することができる。また、略くの字形アーム１３を、略中央で屈曲するとともに、略くの字形アーム１３と収納ラック１６の連結部を、収納ラック１６を構成する側板１８の最上段後方近傍に位置してあり、両アーム１２、１３が大きな円弧の回動を描くため、昇降ストロークを大きくすることができるとともに、収納ラック１６が収納キャビネット１１の前方に大きく張り出して回動するため、図１に二点鎖線で示す如く、回動昇降時に連動連結軸１５との干渉がなくなり、収納ラック１６の後方下部のコーナー逃がし部が不要となり、収納ラック１６の底面すべてに平面的な収納面積を確保することができる。
【００２４】
また、開放手段２１に、扉体２０の開放方向に回転するローラ部材２２を備えてあり、扉体２０の開放時にローラ部材２２が回転するため、開放手段２１の回動軌跡に発生する損傷をローラ部材２２により防止することができる。
【００２５】
また、扉体２０の開放維持手段２３を、収納ラック１６が収納キャビネット１１外を回動時に、収納ラック１６の上方側に付勢直立する構成としてあり、開放維持手段２３が回動時に直立するため、収納ラック１６が最下端位置に降下するまで、扉体２０の開放を維持することができる。
【００２６】
また、開放維持手段２３により、扉体２０の開放角度を９０度以内に規制してあり、本収納装置を並列設置した場合においても、扉体２０が隣の扉体（２０）と干渉することがないため、損傷の発生を防止することができる。
【００２７】
また、開放維持手段２３に、前後および上下の双方向に回転するローラ部材２５、２６を備えてあり、収納ラック１６が収納キャビネット１１内を回動時には前後方向にローラ部材２５が回転するため、また、収納キャビネット１１外を回動時には上下方向にローラ部材２６が回転するため、各々の回動軌跡に発生する
損傷をローラ部材２５、２６により防止することができる。
【００２８】
また、収納キャビネット１１と扉体２０に、扉体２０を閉塞側に押圧する付勢手段２７を備えてあり、収納ラック１６の降下動作時とは逆に、収納ラック１６の上昇格納に連動して、おのずと扉体２０を閉塞することができるため、収納ラック１６の上昇格納作業をも１回の動作で行うことができる。
【００２９】
さらに、収納ラック１６の下部前方に、収納キャビネット１６を覆うハンドル２９付の閉塞パネル２８を設けるとともに、扉体２０にも把手３０を備えてあり、把手３０により扉体２０を単独に開けることができるため、一々収納ラック１６の降下作業を行うことなく、収納ラック１６内の収納品の確認を容易に行うことができる。
【００３０】
なお、前述した実施例においては、扉体２０を左右両方に開放する場合で説明したが、左右いずれか一方へ開放する構成においても同様に実施することができる。
【００３１】
以上説明したように実施例の昇降式収納装置によれば、以下の特長を奏する。
【００３２】
（１）収納キャビネットと、この収納キャビネットに設けた収納ラックと、収納ラックを昇降するアームを有する昇降支持装置と、収納キャビネットの前方に設けた扉体と、収納ラックの降下動作に連動して、扉体を開放する開放手段と、扉体の開放維持手段とからなり、収納ラックの降下動作に連動して、おのずと扉体を開放することができるため、収納ラックの降下作業を１回の動作で行うことができる。
【００３３】
（２）アームを、略Ｓの字形アームと、略くの字形アームにより構成してあり、両アームが屈曲しているため、収納ラックの降下時に両アームが収納キャビネットの底板に干渉することも、両アーム同士が干渉することもなく、その結果、両アームの回動角度が大きくとれ、収納ラックの昇降ストロークを大きくすることができるので、降下ストロークが大きくなり、収納ラックへの出し入れの作業性を向上することができる。また、両アームが大きな円弧の回動を描くため、昇降ストロークを大きくすることができるとともに、収納ラックが収納キャビネットの前方に大きく張り出して回動するため、収納ラックの後方下部のコーナー逃がし部が不要となり、収納ラックの底面すべてに平面的な収納面積を確保することができる。
【００３４】
（３）開放手段に、扉体の開放方向に回転するローラ部材を備えてあり、扉体の開放時にローラ部材が回転するため、開放手段の回動軌跡に発生する損傷をローラ部材により防止することができる。
【００３５】
（４）扉体の開放維持手段を、収納ラックが収納キャビネット外を回動時に、収納ラックの上方側に付勢直立する構成としてあり、開放維持手段が回動時に直立するため、収納ラックが最下端位置に降下するまで、扉体の開放を維持することができる。
【００３６】
（５）開放維持手段により、扉体の開放角度を９０度以内に規制してあり、本収納装置を並列設置した場合においても、扉体が隣の扉体と干渉することがないため、損傷の発生を防止することができる。
【００３７】
（６）開放維持手段に、前後および上下の双方向に回転するローラ部材を備えてあり、収納ラックが収納キャビネット内を回動時には前後方向にローラ部材が回転するため、また、収納キャビネット外を回動時には上下方向にローラ部材が回転するため、各々の回動軌跡に発生する損傷をローラ部材により防止することができる。
【００３８】
（７）収納キャビネットと扉体に、扉体を閉塞側に押圧する付勢手段を備えてあり、収納ラックの降下動作時とは逆に、収納ラックの上昇格納に連動して、おのずと扉体を閉塞することができるため、収納ラックの上昇格納作業をも１回の動作で行うことができる。
【００３９】
（８）収納ラックの下部前方に、収納キャビネットを覆うハンドル付の閉塞パネルを設けるとともに、扉体にも把手を備えてあり、把手により扉体を単独に開けることができるため、一々収納ラックの降下作業を行うことなく、収納ラック内の収納品の確認を容易に行うことができる。
【００４０】
【発明の効果】
以上説明したように本発明の昇降式収納装置によれば、扉体の開放、および開放維持が収納ラックと連動して行えるため、大いにその使い勝手を高めることができるものであり、さらに、収納ラックを収納キャビネットに収めている状態下で扉の単独開閉が可能となり、例えば、収納ラック内の物品などの確認も行え、一段と使用性の向上が図れる。
【図面の簡単な説明】
【図１】  本発明の実施例１の昇降式収納装置の収納ラック降下状態における側断面図
【図２】  同じく扉体の半開き状態における平面断面図
【図３】  図１の平面断面図
【図４】  従来の昇降式収納装置における外観斜視図
【図５】  同じく収納ラック降下状態における側断面図
【符号の説明】
１１  収納キャビネット
１２  略Ｓの字形アーム
１３  略くの字形アーム
１４  昇降支持装置
１６  収納ラック
２０  扉体
２１  開放手段
２２  ローラ部材
２３  開放維持手段
２５  ローラ部材
２６  ローラ部材
２７  付勢手段
２８  閉塞パネル
２９  ハンドル
３０  把手
【図１】
0003785831.tif 000002
【図２】
0003785831.tif 000003
【図３】
0003785831.tif 000004
【図４】
0003785831.tif 000005
【図５】
0003785831.tif 000006